(57)【要約】パッケージ（２）は、略直方体形状をなし、上端に開口端（１２）を有するケース（４）と、開口端（１２）の後縁にリッドヒンジ（２６）を介して回動可能に接続されたタングリッド（６）であって、開口端（１２）を開閉するリッド（５）と、リッド（５）の先端にタングヒンジ（２８）を介して接続されたタング（７）とを含み、リッド（５）が閉位置にあるとき、タング（７）はケース（４）の前壁（１４）に重なり合う、タングリッドと、ケース（４）内に収容されたインナホルダ（１０）であって、内容物を保持するための凹所（１０ａ）を有する、インナホルダ（１０）とを備え、ケース（４）、タングリッド（６）およびインナホルダ（１０）は透明又は半透明材料により形成されており、凹所（１０ａ）はケース（４）の底壁（２０）及び側壁（１８）からそれぞれ離れている。
2009139301.tif 000002
【特許請求の範囲】
【請求項１】
略直方体形状をなし、上端に開口端を有するケースと、
前記開口端の後縁にリッドヒンジを介して回動可能に接続されたタングリッドであって、前記開口端を開閉するリッドと、前記リッドの先端にタングヒンジを介して接続されたタングとを含み、前記リッドが閉位置にあるとき、前記タングは前記ケースの前壁に重なり合う、タングリッドと、
前記ケース内に収容されたインナホルダであって、内容物を保持するための凹所を有する、インナホルダと
を備え、
前記ケース、前記タングリッドおよび前記インナホルダは透明又は半透明材料により形成されており、前記凹所は前記ケースの底壁及び側壁からそれぞれ離れている、タングリッド型パッケージ。
【請求項２】
前記インナホルダは箱形状をなし、前記凹所を規定する後壁、底壁及び一対の側壁を有する、請求項１に記載のタングリッド型パッケージ。
【請求項３】
前記底壁及び側壁は中空構造をなしている、請求項２に記載のタングリッド型パッケージ。
【請求項４】
前記側壁及び底壁は、前記凹所の内面を規定する内壁部分と、外壁部分とを有し、この外壁部分は前記後壁を含む仮想面から突出されている、請求項３記載のタングリッド型パッケージ。
【請求項５】
前記ケースは、前壁と、この前壁の上縁に形成されたＵ字形の切欠と、前記前壁に形成され、前記切欠の下方に位置したスリットとを含んでおり、
前記タングは、前記スリットに差込み可能な差込爪を含んでいる、請求項１に記載のタングリッド型パッケージ。
【請求項６】
前記内容物は、シガレットの束と、この束を包み込む内包材とを含む、請求項１に記載のタングリッド型パッケージ。
【発明の詳細な説明】
【技術分野】
【０００１】
本発明は、パッケージに関し、より詳しくは、タングリッド型パッケージに関する。
【背景技術】
【０００２】
内容物を収容する包装容器としては、内容物の性質を考慮し、種々のものが開発されている。内容物が、例えば、フィルタシガレットやシガレット等のたばこ商品である場合、その包装容器としては、ヒンジリッド型パッケージが知られている。【０００３】
ここで、ヒンジリッド型パッケージの１つの形態としては、例えば、特許文献１に示されるタングリッド型パッケージが提案されている。【０００４】
従来公知のタングリッド型パッケージは、開口端を有するボックスと、このボックスの開口端を開閉するリッドと、ボックス内に収容された内容物とを含み、この内容物は、複数の棒状喫煙物品の束と、この束を包み込んだ包材とからなっている。更に、この種のパッケージは通常、紙で作られている。
【先行技術文献】
【特許文献】
【０００５】
【特許文献１】特開平１１−４９１３４号公報
【発明の概要】
【発明が解決しようとする課題】
【０００６】
ところで、従来公知のタングリッド型パッケージにおいては、紙製の単純なボックスタイプがほとんどであるので、デザインが画一的であり、消費者の購買意欲を促進させるアピール度に乏しい。【０００７】
本発明は、上記の事情に基づいてなされたもので、その目的とするところは、簡単な構成で、消費者に対するアピール度を向上させることができるパッケージを提供することにある。
【課題を解決するための手段】
【０００８】
上記目的を達成するために、タングリッド型パッケージは、略直方体形状をなし、上端に開口端を有するケースと、開口端の後縁にリッドヒンジを介して回動可能に接続されたタングリッドであって、開口端を開閉するリッドと、リッドの先端にタングヒンジを介して接続されたタングとを含み、リッドが閉位置にあるとき、タングはケースの前壁に重なり合う、タングリッドと、ケース内に収容されたインナホルダであって、内容物を保持するための凹所を有する、インナホルダとを備え、ケース、タングリッドおよびインナホルダは透明又は半透明材料により形成されており、凹所はケースの底壁及び側壁からそれぞれ離れているので、凹所内の内容物はケース内にて浮いているような状態に見える。【０００９】
また、インナホルダは箱形状をなし、凹所を規定する後壁、底壁及び一対の側壁を有するので、インナホルダはケースに出し入れされやすい形状であるとともに、内容物は凹所内で後壁、底壁及び一対の側壁により保持される。【００１０】
更に、底壁及び側壁は中空構造をなしているので、インナホルダ及びケースの底壁、側壁及び後壁それぞれの間には所定の間隙が形成される。【００１１】
詳しくは、側壁及び底壁は、凹所の内面を規定する内壁部分と、外壁部分とを有し、この外壁部分は後壁を含む仮想面から突出されているので、外部からケースに加わる外力を良好に吸収し、外力がインナパックに直接加わるのを抑制する。【００１２】
また、ケースは、前壁と、この前壁の上縁に形成されたＵ字形の切欠と、前壁に形成され、切欠の下方に位置したスリットとを含んでおり、タングは、スリットに差込み可能な差込爪を含んでいるので、差込爪をスリットに差し込むことで、タングリッドはその閉位置に保持される。【００１３】
また、内容物は、シガレットの束と、この束を包み込む内包材とを含むことが好ましく、この場合、フィルタシガレットの変形は良好に抑制される。
【発明の効果】
【００１４】
本発明によれば、タングリッド型パッケージを構成するケース、タングリッドおよびインナホルダの全てが無色透明であるので、インナパックが透けて見えるため、デザインが斬新であり、消費者の購買意欲を喚起するアピール度に優れる。【００１５】
また、インナホルダの底壁及び側壁は、中空構造を有しているので、インナホルダは、外部からケースに加わる外力を良好に吸収し、外力がインナパックに直接加わるのを抑制することで、内容物を良好に保護することができる。
【図面の簡単な説明】
【００１６】
【図１】実施例に係るタングリッド型パッケージを閉じた状態で示す斜視図である。
【図２】図１のパッケージを開いた状態を示す斜視図である。
【図３】図１のパッケージを分解して示す斜視図である。
【図４】図１のパッケージの縦断面図である。
【図５】図１のパッケージの横断面図である。
【発明を実施するための形態】
【００１７】
図１を参照すると、タングリッド型パッケージ２は、ケース４と、このケース４に連結されたタングリッド６とを含み、タングリッド６は、リッド５及びタング７を有する。ケース４内にはインナホルダ１０が収容されており、このインナホルダ１０はインナパック８を保持している。インナパック８については後述する。そして、本実施例の場合、ケース４、タングリッド６およびインナホルダ１０は、無色透明の合成樹脂材料で形成されている。
【００１８】
ケース４は、略直方体形状をなし、その上部に開口端１２を有する。詳しくは、ケース４は、前壁１４、後壁１６、一対の側壁１８及び底壁２０を含む。
【００１９】
図２から明らかなように、前壁１４はその上縁中央に切欠２２を有する。この切欠２２は略Ｕ字形状をなし、開口端１２の一部を形成する。切欠２２は、ケース４の前壁１４の上部を大きく開き、インナパック８内の商品の取り出しを容易にしている。更に、前壁１４はスリット２４を有し、このスリット２４は切欠２２の下方に位置付けられている。スリット２４は、切欠２２の下端縁に沿って延び、その両端は円弧形状をなしている。
【００２０】
後壁１６の上縁はリッドヒンジ２６として形成されている。前述したタングリッド６のリッド５はリッドヒンジ２６を介して後壁１６に連結され、リッドヒンジ２６の回りを回動可能である
【００２１】
本実施例の場合、両側壁１８及び底壁２０は、ラウンドコーナを介して互いに接続されている。このため、前壁１４及び後壁１６の下縁の両端はラウンドコーナに対応して丸められている。
【００２２】
タングリッド６が上述したリッドヒンジ２６を中心に回動されたとき、タングリッド６のリッド５はケース４の開口端１２を開閉する。開口端１２がリッド５によって閉じられたとき、タングリッド６のタング７は前壁１４に重ね合わされる。
【００２３】
より詳しくは、リッド５は、開口端１２と同一サイズの矩形状をなし、これに対し、タング７は、半円形状をなしている。リッド５及びタング７はタングヒンジ２８を介して互いに連結され、タング７はリッド５に対し、タングリッド２８の回りにリッド５を回動可能である。また、タング７は、その先端部中央に差込み爪３０を有する。この差込み爪３０は、タング７に切込みを形成することによって得られている。タング７が前壁１４に重ね合わされた状態にあるとき、差込み爪３０はリッド５に向けて凸となる半円形状、即ち、タング７とは逆向きの半円形状をなし、前壁１４のスリット２４に差し込み可能である。
【００２４】
図３に示されるようにインナホルダ１０はケース４と同様な箱形状をなし、その前面に凹所１０ａを有する。この凹所１０ａはインナパック８を受入れ可能な大きさを有し、その上端にて開口している。より詳しくは、インナホルダ１０は、後壁３２と一対の側壁３４と、底壁３６とを含み、凹所１０ａは後壁３２、側壁３４及び底壁３６の内面により規定されている。
【００２５】
前述したインナパック８がインナホルダ１０の凹所１０ａ内に保持されたとき、インナパック８は、インナホルダ１０の後壁３２、側壁３４及び底壁３６によって囲まれた状態となる。なお、インナホルダ１０の底部はケース４の底部の内面と合致するような輪郭形状を有している。
【００２６】
更に詳しくは、図４及び図５に示されるように、インナホルダ１０の後壁３２とケース４の後壁１６との間には所定の間隙が形成されている。この間隙を確保するため、インナホルダ１０の底壁３６及び側壁３４は中空構造をなし、その後面のみに開口している。具体的には、底壁３６はインナ壁３６ｃ、アウタ壁３６ｄ及びこれらインナ及びアウタ壁間に確保された空所３６ｅを有し、インナ壁３６ｃは後壁３２に接続されているのに対し、アウタ壁３６ｄの後端縁３６ａは後壁３２を含む仮想面から、前記間隙に相当する距離だけ突出されている。
【００２７】
側壁３４もまた、インナ壁３４ｇ、アウタ壁３４ｆ及びこれらインナ及びアウタ壁間に確保された空所３４ｅを有し、インナ壁３４ｇは後壁３２に接続されているのに対し、アウタ壁３４ｆの後端縁３４ａは前記仮想面から突出されている。
【００２８】
なお、図３に示されているように、後壁３２はその上縁にアッパ壁３４ｄを有し、このアッパ壁３４ｄは各側壁３４のアッパ壁３４ｃを接続している。
【００２９】
前述の説明から明らかなようにインナホルダ１０がインナパック８とともにケース４内に収容されたとき、インナホルダ１０の凹所１０ａ、即ち、この凹所１０ａ内のインナパック８はケース４の底壁２０及び側壁１８から離れた状態にあり、そして、ケース４、タングリッド６及びインナホルダ１０は共に透明である。それ故、インナホルダ１０内のインナパック８はケース４内にて浮いているような状態に見える。
【００３０】
一方、インナパック８は、略直方体形状をなし、図５から明らかなように例えばロッド形状のたばこ商品３８の束と、この束を包み込む包材４０とを含む。たばこ商品３８には細身のフィルタシガレットが好ましく、具体的には、フィルタシガレットは９８ｍｍの長さ及び２２ｍｍ程度の周長を有する。また、内包材４０にはアルミ蒸着紙が使用可能であり、このアルミ蒸着紙はベース紙と、このベース紙の表面に蒸着されたアルミニウム膜とを含む。このようなアルミニウム膜はたばこ商品３８を湿気から保護するばかりでなく、たばこ商品３８からの芳香の放出を防止する。なお、内包材４０には上述したアルミニウム蒸着紙に代えて、積層紙を使用することもでき、この積層紙はその内部に湿気や芳香の通過を防止する遮蔽層を有し、この遮蔽層は例えばパラファンワックスにより形成することができる。
【００３１】
消費者がパッケージ２を購入したとき、ケース４のタングリッド６は閉じた状態にある（図１参照）。この状態から、消費者は、まず、タングリッド６におけるタング７の先端部をケース４の前壁１４からつまみ上げ、差込爪３０をケース４のスリット２４から引き抜く。これにより、ケース４に対するタングリッド６の係合が解除され、タングリッド６の開操作が可能となる。この後、タングリッド６が消費者により開かれたとき、インナパック８はケース４の開口端１２から露出し、消費者はインナパック８の内包材４０の一部を取り除くことにより、インナパック８からたばこ商品３８を取り出すことができる。
【００３２】
この後、タングリッド６が閉じられるとき、消費者はケース４の開口端１２にリッド５を被せ、タング７の差込爪３０をケース４のスリット２４に差し込みながら、タング７をケース４の前壁１４に重ね合わせる。この結果、タングリッド６はその閉位置に保持される。
【００３３】
なお、タングリッド６を閉位置に保持するにあたり、タング７は前壁１４とインナパック８との間に差し込まれていてもよい。このような態様でも、タングリッド６はケース４の開口端１２及び切欠２２を確実に閉じた状態に維持される。
【００３４】
また、インナパック８内のたばこ商品３８が全て消費されたとき、消費者はケース４からインナホルダ１０を取り出し、取り出されたインナホルダ１０内に新たなインナパック８を保持した後、この新たなインナパック８ともにインナホルダ１０をケース４内に収容することができる。それ故、本発明のパッケージ２はインナパック８のリフィル、即ち、再使用が可能である。
【００３５】
本実施例のパッケージ２によれば、ケース４、タングリッド６及びインナホルダ１０の全てが無色透明であるので、インナパック８はケース４の外側からが透けて見える。特に、インナパック８はインナホルダ１０に保持されているので、ケース４内にて浮いているように見える。このため、本発明のパッケージは斬新であり、消費者の購買意欲を喚起するアピール度に優れる。
【００３６】
また、インナホルダ１０の底壁及び側壁は、前述した中空構造を有しているので、インナホルダ１０は、外部からケース４に加わる外力を良好に吸収し、外力がインナパック８に直接加わるのを抑制する。特に、細身で且つ長いフィルタシガレットは女性向けのたばこ商品の主流であるが、この種のフィルタシガレットは、外部から力を受けたとき、比較的変形し易い。しかしながら、この種のフィルタシガレットのパッケージとして、本発明のパッケージが使用されれば、フィルタシガレットの変形は良好に抑制される。一般的に、女性は、たばこ商品のためのパッケージをハンドバックに収容して持ち歩くことが多いため、バック内のパッケージはバック内の他の収容物により圧縮力を受け易い状況にある。しかしながら、このような状況にあっても、本発明のパッケージ２は内部のフィルタシガレットを良好に保護することができる。
【００３７】
本発明は上述した一実施例に制約されるものではなく、種々の変形が可能である。
例えば、本発明のパッケージ２は、ヒンジリッド又はタングリッド型の通常のパッケージの代わりにも使用できる。この通常のパッケージの場合、インナパックは通常サイズの２０本のフィルタシガレットを含み、個々のフィルタシガレットは、８５〜９５ｍｍ程度の長さを有する。
【００３８】
また、ケース４、タングリッド６及びインナホルダ１０は無色透明に限らず、有色であっても、透明又は半透明であればよい。
【００３９】
更に、本発明のパッケージ２は、たばこ商品以外に、お菓子等の食品の収容にも適用可能である。
【符号の説明】
【００４０】
２            パッケージ
４            ケース
５            リッド
６            タングリッド
７            タング
８            インナパック
１０          インナホルダ
１０ａ        凹所
１２          開口端
１４          前壁
１６          後壁
１８          側壁
２０          底壁
２２          切欠
２４          スリット
２６          リッドヒンジ
２８          タングヒンジ
３０          差込爪
３２          後壁
３４          側壁
３４ａ        後端縁
３６          底壁
３６ａ        後端縁
３８          たばこ商品
４０          内包材
【図１】
2009139301.tif 000003
【図２】
2009139301.tif 000004
【図３】
2009139301.tif 000005
【図４】
2009139301.tif 000006
【図５】
2009139301.tif 000007
【国際調査報告】
2009139301.tif 000008
2009139301.tif 000009
2009139301.tif 000010
2009139301.tif 000011